(57)【要約】      （修正有）【課題】柔軟性を有さず変形しにくい基部に一方のエレメントが基部に固定されているような場合であっても、嵌合したり解放したりすることが可能な構造を有するファスナーを提供する。【解決手段】第１の保持部１１２の上に複数の第１のファスナーエレメント１１１を形成した第１のファスナーユニット１１０と、第２の保持部１２２の上に複数の第２のファスナーエレメント１２１を形成した第２のファスナーユニット１２０と、第１のファスナーエレメントと第２のファスナーエレメントとを挟んで第１のファスナーエレメントと第２のファスナーエレメントとに沿って移動するスライダー１３０とを備えたファスナー１００において、第１のファスナーユニットの第１の保持部と複数の第１のファスナーエレメントとを一体に成形した。【選択図】図１
2017143850.tif 000002
【特許請求の範囲】
【請求項１】
第１の保持部の上に複数の第１のファスナーエレメントを形成した第１のファスナーユニットと、
第２の保持部の上に複数の第２のファスナーエレメントを形成した第２のファスナーユニットと、
前記第１のファスナーエレメントと前記第２のファスナーエレメントとを挟んで前記第１のファスナーエレメントと前記第２のファスナーエレメントとに沿って移動するスライダーと
を備えたファスナーであって、
前記第１のファスナーユニットは、前記第１の保持部と前記複数の第１のファスナーエレメントとが一体に成形されていることを特徴とするファスナー。
【請求項２】
請求項１記載のファスナーであって、前記第１のファスナーユニットは、前記第１の保持部と前記複数の第１のファスナーエレメントとが射出成型により一体で成形されていることを特徴とするファスナー。
【請求項３】
請求項１記載のファスナーであって、前記第１のファスナーユニットは、前記第１の保持部と前記複数の第１のファスナーエレメントとが樹脂で一体成形されていることを特徴とするファスナー。
【請求項４】
請求項１記載のファスナーであって、前記第１のファスナーエレメントには、前記第２のファスナーエレメントと嵌合したときに前記第２のファスナーエレメントと対向する位置に段差が形成されており、前記第２のファスナーエレメントには、前記第１のファスナーエレメントの前記段差と対向する位置に溝部が形成されていることを特徴とするファスナー。
【請求項５】
請求項１記載のファスナーであって、前記第２のファスナーエレメントには、前記第１のファスナーエレメントと嵌合したときに前記第１のファスナーエレメントの側に突き出る突起部が形成されており、前記第１のファスナーエレメントには、前記第２のファスナーエレメントの前記突起部と対向する位置に前記突起部を収納する溝部が形成されていることを特徴とするファスナー。
【請求項６】
第１の保持部の上に複数の第１のファスナーエレメントを形成した第１のファスナーユニットと、
第２の保持部の上に複数の第２のファスナーエレメントを形成した第２のファスナーユニットと、
前記第１のファスナーエレメントと前記第２のファスナーエレメントとを挟んで前記第１のファスナーエレメントと前記第２のファスナーエレメントとに沿って移動するスライダーと
を備えたファスナーであって、
前記スライダーは、前記第１のファスナーエレメントに沿って移動する側は、前記第１のファスナーエレメントを直線状にガイドできる形状に形成されており、前記第２のファスナーエレメントに沿って移動する側は、記第２のファスナーエレメントを曲線状にガイドできる形状に形成されていることを特徴とするファスナー。
【請求項７】
請求項６記載のファスナーであって、前記第１のファスナーユニットは、前記第１の保持部と前記複数の第１のファスナーエレメントとが射出成型により一体で成形されていることを特徴とするファスナー。
【請求項８】
請求項６記載のファスナーであって、前記第１のファスナーユニットは、前記第１の保持部と前記複数の第１のファスナーエレメントとが樹脂で一体成形されていることを特徴とするファスナー。
【請求項９】
請求項６記載のファスナーであって、前記第１のファスナーエレメントには、前記第２のファスナーエレメントと嵌合したときに前記第２のファスナーエレメントと対向する位置に段差が形成されており、前記第２のファスナーエレメントには、前記第１のファスナーエレメントの前記段差と対向する位置に溝部が形成されていることを特徴とするファスナー。
【請求項１０】
請求項６記載のファスナーであって、前記第２のファスナーエレメントには、前記第１のファスナーエレメントと嵌合したときに前記第１のファスナーエレメントの側に突き出る突起部が形成されており、前記第１のファスナーエレメントには、前記第２のファスナーエレメントの前記突起部と対向する位置に前記突起部を収納する溝部が形成されていることを特徴とするファスナー。
【発明の詳細な説明】
【技術分野】
【０００１】
本発明は、スライダーを移動させて両側の１対のエレメントを嵌合させ又は嵌合を解除するファスナーに関するものである。
【背景技術】
【０００２】
従来のファスナーは、ファスナーの左右のエレメントをそれぞれ保持するファスナーテープが柔軟な材料(例えば、布地)で構成されている。このような構成で、スライダーを移動させると、左右の柔軟なファスナーテープがそれぞれ変形して、右側及び左側に並ぶエレメント間の溝を開いたり閉じたりしてファスナーを嵌合させたり取り外したりしている。
【０００３】
このような構成のファスナー例として、特開２０１５−１２３１１１号公報(特許文献１)には、ファスナーテープの側縁にファスナーエレメントが一定間隔で設けられたファスナーエレメント列が一体的に設けられた構成が記載されている。
【０００４】
また、特開２０１５−１１６３５５号公報(特許文献２)には、連続エレメント列を上下噛み合わせ式スライダーで容易に噛合及び分離させるスライドファスナーについて記載されている。
【先行技術文献】
【特許文献】
【０００５】
【特許文献１】特開２０１５−１２３１１１号公報
【特許文献２】特開２０１５−１１６３５５号公報
【発明の概要】
【発明が解決しようとする課題】
【０００６】
特許文献１及び特許文献２に記載されているファスナーは、ファスナーを構成するエレメントを、柔軟性を有するファスナーテープに固定した構成を有しており、スライダーを移動させたることにより、ファスナーテープを変形させて隣接するエレメントの間隔を変化させることにより左右のエレメント同士が嵌合したり解放されたりする。
【０００７】
しかし、柔軟性を有さず変形しにくい基部に一方のエレメントが固定されていて、この基部に固定されたエレメントの間隔を変化させることができないような構成の場合、特許文献１及び特許文献２に記載されているファスナー構造を適用することができない。
【０００８】
本発明は、従来技術の課題を解決して、柔軟性を有さず変形しにくい基部に一方のエレメントが基部に固定されているような場合であっても、嵌合したり解放したりすることが可能な構造を有するファスナーを提供するものである。
【課題を解決するための手段】
【０００９】
上記した課題を解決するために、本発明では、第１の保持部の上に複数の第１のファスナーエレメントを形成した第１のファスナーユニットと、第２の保持部の上に複数の第２のファスナーエレメントを形成した第２のファスナーユニットと、第１のファスナーエレメントと第２のファスナーエレメントとを挟んで第１のファスナーエレメントと第２のファスナーエレメントとに沿って移動するスライダーとを備えたファスナーにおいて、第１のファスナーユニットの第１の保持部と複数の第１のファスナーエレメントとを一体に成形した。
【００１０】
また、上記した課題を解決するために、本発明では、第１の保持部の上に複数の第１のファスナーエレメントを形成した第１のファスナーユニットと、第２の保持部の上に複数の第２のファスナーエレメントを形成した第２のファスナーユニットと、第１のファスナーエレメントと第２のファスナーエレメントとを挟んで第１のファスナーエレメントと第２のファスナーエレメントとに沿って移動するスライダーとを備えたファスナーにおいて、スライダーの第１のファスナーエレメントに沿って移動する側は、第１のファスナーエレメントを直線状にガイドできる形状に形成し、スライダーの第２のファスナーエレメントに沿って移動する側は、第２のファスナーエレメントを曲線状にガイドできる形状に形成した。
【発明の効果】
【００１１】
本発明によれば、一方のファスナーユニットが構造物に固定されているような場合であっても、スライドファスナーを形成することができる。
【図面の簡単な説明】
【００１２】
【図１】本発明の実施例に係るスライドファスナーの平面図である。
【図２】本発明の実施例に係るスライドファスナーのファスナーユニットＡの斜視図である。
【図３】本発明の実施例に係るスライドファスナーのファスナーユニットＡのＣ−Ｃ断面図である。
【図４】本発明の実施例に係るスライドファスナーのファスナーユニットＢのエレメントＢの斜視図である。
【図５】本発明の実施例に係るスライドファスナーのファスナーユニットＢのエレメントＢのＤ−Ｄ断面図である。
【図６】本発明の実施例に係るスライドファスナーのスライダーの平面図である。
【図７】本発明の実施例に係るスライドファスナーのスライダーの側面図である。
【図８】本発明の実施例に係るスライドファスナーのスライダーの正面図である。
【図９】本発明の実施例に係るスライドファスナーのファスナーユニットＡのエレメントＡとファスナーユニットＢのエレメントＢとが嵌合した状態を示すエレメントＡとエレメントＢのＡ−Ａ断面図である。
【図１０】本発明の実施例に係るスライドファスナーのファスナーユニットＡのエレメントＡとファスナーユニットＢのエレメントＢとが嵌合した状態を示すエレメントＡとエレメントＢ及びスライダーのＢ−Ｂ断面図である。
【図１１】本発明の実施例に係るスライドファスナーのファスナーユニットＡのエレメントＡとファスナーユニットＢのエレメントＢとが嵌合していく状態を時系列的に示したファスナーユニットＡとエレメントＢとの正面図である。
【図１２】本発明の実施例に係るスライドファスナーのファスナーユニットＢのエレメントＢの変形例におけるＤ−Ｄ断面図である。
【発明を実施するための形態】
【００１３】
本発明では、第１のファスナーユニットと第２のファスナーユニットとスライダーとを備えたファスナーにおいて、第１のファスナーユニットの第１の保持部と複数の第１のファスナーエレメントとを一体に成形したものである。また、スライダーの第１のファスナーエレメントに沿って移動する側を、第1のファスナーエレメントを直線状にガイドできる形状に形成し、スライダーの第２のファスナーエレメントに沿って移動する側を、第２のファスナーエレメントを曲線状にガイドできる形状に形成したものである。  
以下に、本発明の実施例を、図を用いて説明する。
【実施例】
【００１４】
図１に本実施例によるスライドファスナー１００の構成を示す。  
スライドファスナー１００は、ファスナーユニットＡ：１１０とファスナーユニットＢ：１２０とスライダー１３０とを備えて構成されている。ファスナーユニットＡ：１１０は、ファスナーエレメントＡ：１１１と保持部１１２とが一体成形されている。ファスナーユニットＢ：１２０は、複数のファスナーエレメントＢ：１２１を柔軟なファスナーテープ１２２に装着して構成されている。スライダー１３０は、ファスナーユニットＡ：１１０とファスナーユニットＢ：１２０とを嵌合したり嵌合を開放して取り外したりする。
【００１５】
ファスナーユニットＡ：１１０のファスナーエレメントＡ：１１１(以下、単にエレメントＡ：１１１と記す)と保持部１１２とは、例えば射出成型により一体成形された比較的剛背の高い硬質な樹脂により作られており、剛体となっている。硬質な樹脂としては、弾性率が７０ＭＰａよりも大きい、エポキシ樹脂、尿素樹脂、フェノール樹脂、メラミン樹脂、不飽和ポリエステル樹脂の何れか、又はそれらの混合物を用いる。
【００１６】
図１に示した構成において、エレメントＡ：１１１と保持部１１２とが硬質な樹脂で一体成型により作成されたファスナーユニットＡ：１１０は、スライダー１３０の右側（ファスナーユニットＡ：１１０とファスナーユニットＢ：１２０とを嵌合を開放して取り外した状態）とスライダー１３０の左側（ファスナーユニットＡ：１１０とファスナーユニットＢ：１２０とを嵌合させた状態）とでエレメントＡ：１１１が一直線上に並んだ状態となっている。
【００１７】
これに対して、複数のファスナーエレメントＢ：１２１(以下、単にエレメントＢ：１２１と記す)を柔軟なファスナーテープ１２２にカシメ、接着又は溶着などにより一定の間隔で装着して構成したファスナーユニットＢ：１２０は、スライダー１３０の右側（ファスナーユニットＡ：１１０とファスナーユニットＢ：１２０とを嵌合を開放して取り外した状態）において大きくカーブしている。
【００１８】
図１に示した構成において、スライダー１３０を図の右側に移動させると、移動するスライダー１３０の後方(図１でスライダー１３０の左側)において、ファスナーユニットＡ：１１０のエレメントＡ：１１１とファスナーユニットＢ：１２０のエレメントＢ：１２１とが嵌合する。
【００１９】
一方、スライダー１３０を図の左側に移動させると、移動するスライダー１３０の後方(図１でスライダー１３０の右側)において、ファスナーユニットＡ：１１０のエレメントＡ：１１１とファスナーユニットＢ：１２０のエレメントＢ：１２１との嵌合状態が解除されて、エレメントＡ：１１１からエレメントＢ：１２１が開放されて取り外される。
【００２０】
図２に、ファスナーユニットＡ：１１０の斜視図を示す。ファスナーユニットＡ：１１０は、エレメントＡ：１１１と保持部１１２とで構成されており、保持部１１２の上にエレメントＡ：１１１が一定のピッチで多数形成されている。エレメントＡ：１１１と保持部１１２とは、硬質な樹脂を射出成型することにより一体成形される。エレメントＡ：１１１には、突起状の嵌合部１１３と、嵌合部１１３の根元部分に形成された溝部１１４が形成されている。溝部１１４の表面には、段差１１５が形成されている。
【００２１】
ファスナーユニットＡ：１１０のＣ−Ｃ断面を図３に示す。エレメントＡ：１１１の溝部１１４の上面には、段差部１１５が形成されている。また、保持部１１２に対してエレメントＡ：１１１は幅が広く(肉厚が厚く)、保持部１１２とエレメントＡ：１１１との境界部に段差状に形成されたガイド面１１６が形成されている。ガイド面１１６は、スライダー１３０がファスナーユニットＡ：１１０に沿ってスライドするときに、スライダー１３０をガイドする面となる。
【００２２】
図４にファスナーユニットＢ：１２０のエレメントＢ：１２１の斜視図を示す。エレメントＢ：１２１は、基部１２１１に接続する部分に、エレメントＡ：１１１の嵌合部１１３と嵌合する溝部１２１２が形成され、溝部１２１２の先にエレメントＡ：１１１の溝部１１４と嵌合する突起状の嵌合部１２１３が形成されている。エレメントＢ：１２１の突起状の嵌合部１２１３には溝部１２１４が形成されており、この溝部１２１４は、エレメントＡ：１１１に形成された段差部１１５と嵌合する。
【００２３】
図４のエレメントＢ：１２１の面１２１５はガイド面であって、図１の構成においてスライダー１３０を図１の右側または左側に移動させてファスナーユニットＡ：１１０とファスナーユニットＢ：１２０とを嵌合又は取り外すときに、スライダー１３０の右側または左側の動きをガイドする。
【００２４】
図５に、エレメントＢ：１２１のＤ−Ｄ断面を示す。エレメントＢ：１２１のエレメントＡ：１１１と嵌合する部分１２１３には、エレメントＡ：１１１の段差部１１５に対向する位置に、矩形状の断面の溝部１２１４が形成されている。
【００２５】
次に、図６にスライダー１３０の平面図を、図７にスライダー１３０の側面図を、図８にスライダー１３０の正面図を示す。スライダー１３０は、上部片１３１、下部片１３２、上部片１３１と下部片１３２とを接続する接続部材１３３、スライダー１３０を前後に引っ張るときに把持するための把持部１３４、把持部１３４を上部片１３１に取り付けるフック部１３５で構成されている。
【００２６】
図７に示した上部片１３１の内側に折り曲げられた端部１３１１１と下部片１３２の段差状に形成された端部１３１１２とは、図６の平面図に示すように、スライダー１３０を構成する上部片１３１と下部片１３２の端面１３１１として直線状に成形されている。
【００２７】
即ち、スライダー１３０は、エレメントＡ：１１１に沿って移動する側は、エレメントＡ：１１１を直線状にガイドできる形状に形成されている。
【００２８】
一方、図７に示した上部片１３１の端部１３１１１に対向する内側に折り曲げられた端部１３１２１と下部片１３２の端部１３１１２に対向する内側に折り曲げられた端部１３１２２とは、図６の平面図に示すように、スライダー１３０を構成する上部片１３１と下部片１３２の端面１３１２として曲線状に成形されている。
【００２９】
すなわち、スライダー１３０は、エレメントＢ：１２１に沿って移動する側は、エレメントＢ：１２１を曲線状にガイドできる形状に形成されている。
【００３０】
図９に、図１のＡ−Ａ断面におけるファスナーユニットＡ：１１０とファスナーユニットＢ：１２０とが嵌合した状態におけるエレメントＡ：１１１とエレメント１２１との関係を示す。ファスナーユニットＡ：１１０とファスナーユニットＢ：１２０とが嵌合した状態においては、エレメントＡ：１１１の嵌合部１１３がエレメントＢ：１２０の溝部１２１２の内部に挿入された状態で、エレメントＡ：１１１の段差部１１５がエレメントＢ：１２０に形成された溝部１２１４に嵌め込まれている。
【００３１】
この状態では、エレメントＡ：１１１とエレメントＢ：１２０とは、互いに前後左右及び上下方向の動きが拘束された状態になり、互いに外れることがない。
【００３２】
図１０には、図１におけるＢ−Ｂ断面図を示す。スライダー１３０の上部片１３１の内側に折り曲げられた端部１３１１１は、ファスナーユニットＡ：１１０の段差状に形成されたガイド面１１６に当接し、スライダー１３０の下部片１３２の段差状に形成された端部１３１１２は、ファスナーユニットＡ：１１０のガイド面１１６が設けられた側と反対側の面に当接している。
【００３３】
一方、スライダー１３０の上部片１３１の内側に折り曲げられた端部１３１２１と下部片１３２の内側に折り曲げられた端部１３１２１と下部片１３２の端部１３１１２に対向する内側に折り曲げられた端部１３１２２とは、ファスナーユニットＢ：１２０のエレメントＢ：１２１に形成されたガイド面１２１５に当接している。
【００３４】
図１において、スライダー１３０を図の左側から右側に移動させてファスナーユニットＡ：１１０のエレメントＡ：１１１とファスナーユニットＢ：１２０のエレメントＢ：１２１とを嵌合させるときの、エレメントＡ：１１１とエレメントＢ：１２１との動きを、図１１の（ａ）〜（ｅ）に示す。
【００３５】
図１１の（ａ）〜（ｅ）において、硬質な樹脂で保持部１１２と一体成型されたエレメントＡ：１１１は位置や姿勢を変えることなく常に一定の状態を保っているが、柔軟なファスナーテープ１２２に装着されたファスナーユニットＢ：１２０のエレメントＢ：１２１は、スライダー１３０の移動に応じて姿勢を大きく変えている。
【００３６】
本実施例では、柔軟なファスナーテープ１２２に装着されたファスナーユニットＢ：１２０のエレメントＢ：１２１が、スライダー１３０の移動に応じて姿勢を大きく変えるという性質を利用して、硬質な樹脂で保持部１１２と一体成型されて位置や姿勢を変えることなく常に一定の状態を保っているエレメントＡ：１１１にエレメントＢ：１２１を嵌合させたり嵌合を開放させたりするようにしたものである。
【００３７】
図１１の（ａ）は、スライダー１３０の端部１３１２１と１３１２２とでファスナーユニットＢ：１２０のエレメントＢ：１２１をファスナーユニットＡ：１１０のエレメントＡ：１１１の側に押し下げ始めた状態を示す。ここで、エレメントＢ：１２１をエレメントＡ：１１１の側に近付けることを、エレメントＢ：１２１を押し下げると表現する。
【００３８】
図１１の（ｂ）は、スライダー１３０を図１の左側から右側に移動させて、スライダー１３０の端部１３１２１と１３１２２とでファスナーユニットＢ：１２０のエレメントＢ：１２１をエレメントＡ：１１１の側に押し下げて、エレメントＢ：１２１の突起状の嵌合部１２１３の先端部分１２１３４がエレメントＡ：１１１の溝部１１４の入り口部分に入った状態を示している。この時、エレメントＢ：１２１の側に形成された溝部１２１４はエレメントＡ：１１１の側に形成された段差部１１５に嵌合した状態となる。
【００３９】
スライダー１３０を図１の左側から右側に更に移動させると、図１１の（Ｃ）に示すように、スライダー１３０の端部１３１２１と１３１２２とによりエレメントＢ：１２１がエレメントＡ：１１１の側に更に押し下げられる。このとき、エレメントＢ：１２１の突起状の嵌合部１２１３の先端部分１２１３４と角面１２１３１に形成された溝１２１４は、エレメントＡ：１１１の嵌合部１１３の突起部１１３１とこの突起部１１３１と対向する隣接するエレメントＡ：１１１の嵌合部１１３の面１１３２とに形成された段差部１１５と嵌合した状態にある。
【００４０】
この状態で、エレメントＢ：１２１を押し下げると、エレメントＢ：１２１は、段差部１１５に案内されてエレメントＡ：１１１の溝部１１４の内部に更に押し下げられると共に、エレメントＡ：１１１の溝部１１４の内部の傾斜した面１１４１に形成された段差部１１５と面１１４５に形成された段差部１１５とにガイドされて図１１で時計回りに回転する。
【００４１】
スライダー１３０を図１の左側から右側に更に移動させると、図１１の（ｄ）に示すように、スライダー１３０の端部１３１２１と１３１２２とでエレメントＢ：１２１を更に押し下げる。この時同時に、エレメントＢ：１２１の角部１２１３２は、エレメントＡ：１１１の傾斜した面１１４１に形成された段差部１１５にガイドされ、またエレメントＢ：１２１の先端部分１２１３４は嵌合部１１３の傾斜した面１１４５に形成された段差部１１５にガイドされることにより、エレメントＢ：１２１は図１１で時計回りに更に回転する。
【００４２】
その結果、エレメントＢ：１２１の突起状の嵌合部１２１３の先端部分１２１３３はエレメントＡ：１１１の溝部１１４の奥１１４３まで達する。
【００４３】
スライダー１３０を図１の左側から右側に更に移動させると、図１１の（ｅ）に示すように、スライダー１３０の端部１３１２１と１３１２２とでエレメントＢ：１２１を更に押してエレメントＢ：１２１の突起状の嵌合部１２１３をエレメントＡ：１１１の溝部１１４の内部で更に回転して、エレメントＢ：１２１の嵌合部１２１３の面１２１３２がエレメントＡ：１１１の溝部１１４の面１１４２とほぼ平行になった状態となる。
【００４４】
この状態でエレメントＡ：１１１とエレメントＢ：１２１の嵌合が終了し、ファスナーユニットＡ：１１０とファスナーユニットＢ：１２０とは嵌合された状態となる。
【００４５】
エレメントＢ：１２１が単独の場合、この単独のエレメントＢ：１２１を図１１の（ｅ）の状態のようにファスナーユニットＡ：１１０に嵌合させた状態から上記に説明したのと逆の工程をたどって（ａ）のようにエレメントＢ：１２１を回転させながら引き揚げることにより、エレメントＢ：１２１をファスナユニットＡ：１１０から簡単に取り外すことが可能である。
【００４６】
しかし、図１に示したように、複数のエレメントＢ：１２１をファスナーテープ１２２に固定した状態では、ファスナーテープ１２２により動きが記載されるので、個々のエレメントＢ：１２１はエレメントＡ：１１１に対して回転することができない。
【００４７】
すなわち、図１１の（ｅ）に示すような状態では、エレメントＡ：１１１に対してファスナーテープ１２２に固定された状態のエレメントＢ：１２１を上下方向、左右方向、前後方向に引っ張ったり押したりしても、エレメントＢ：１２１がエレメントＡ：１１１から外れることはない。
【００４８】
すなわち、図１１の（ｅ）に示すような状態では、エレメントＡ：１１１の溝部１１４に形成した面１１４４でエレメントＢ：１２１の面１２１３５を抑えることによりエレメントＡ：１１１に対するエレメントＢ：１２１の上下方向の動きを規制することができる。
【００４９】
また、エレメントＡ：１１１の嵌合部１１３の突起部１１３１とこの突起部１１３１に対向する隣接するエレメントＡ：１１１の嵌合部１１３の面１１３２とでエレメントＢ：１２１の溝部１２１２の前後方向の動きを拘束することにエレメントＡ：１１１に対するエレメントＢ：１２１の前後方向の動きを規制することができる。
【００５０】
さらに、エレメントＡ：１１１の側の段差部１１５にエレメントＢ：１２１の側の溝１２１４を嵌合させた状態で図１１の（ｅ）に示すような状態とすることにより、エレメントＡ：１１１に対するエレメントＢ：１２１の左右方向(図１１（ｅ）で紙面に垂直な方向)の動きを規制することができる。
【００５１】
このように、図２に示したような剛体状のファスナーユニットＡ：１１０のエレメントＡ：１１１と，図４に示したようなファスナーユニットＢ：１２０のエレメントＢ：１２１、及び図６に示したようなスライダー１３０を用いることで、エレメントＡ：１１１とエレメントＢ：１２１とを確実に嵌合させることができる。
【００５２】
すなわち、エレメントＢ：１２１の形状を先端部の一方の側に突起部を設け、他方の端部を面取り形状とし、エレメントＡ：１１１の嵌合部１１３と溝部１１４の形状をエレメントＢ：１２１の形状に合わせて形成して、エレメントＡ：１１１に対してエレメントＢ：１２１を押し下げる方向への移動とエレメントＡ：１１１の内部で時計回りに回転させる運動とを同時に行わせることができる構成としたことにより、エレメントＡ：１１１が剛体状のファスナーユニットＡ：１１０に固定された状態であっても、エレメントＡ：１１１とエレメントＢ：１２１とを確実に嵌合させることができる。
【００５３】
嵌合された状態のエレメントＡ：１１１とエレメントＢ：１２１とを開放してエレメントＡ：１１１からエレメントＢ：１２１を取り外す場合は、図１１の（ａ）から（ｅ）で説明した順序と逆の工程により実行される。
【００５４】
なお、段差部１１５は、必ずしも溝部１１４の前面に形成する必要はなく、溝１１４の内部に部分的に形成するようにしてもよい。
【００５５】
更に、上記に説明した実施例では、ファスナーユニットＡ：１１０の断面形状を図３に示したような形状として説明したが、図１２に示すように、エレメント１１１の肉厚を増やして、保持部１１２に対して両側にガイド面１１６と１１７とを設けるようにしてもよい。
【００５６】
本実施例によれば、ファスナーの一方の側のエレメントと保持部とを、硬質な樹脂を射出成型することにより一体で成形することができるので、エレメントと保持部とを別々に製造して場合におけるエレメントと保持部との接続工程が不要になり、ファスナー作成の工程を減らすことができる。
【００５７】
なお、上記した実施例では、ファスナーの一方の側のエレメントと保持部とを、硬質な樹脂を射出成型することにより一体で成形する構成について説明したが、本実施例はこれに限られるものではなく、ファスナーの一方の側のエレメントと保持部とを、例えばエラストマ―などの柔軟な材料で成型することにより一体で成形する構成にしてもよい。
【００５８】
以上、本発明者によってなされた発明を実施例に基づき具体的に説明したが、本発明は前記実施例に限定されるものではなく、その要旨を逸脱しない範囲で種々変更可能であることは言うまでもない。すなわち、上記実施例で説明した構成の一部をそれと等価な機能を有する手段で置き換えたものも、または、実質的でない機能の一部を省略したものも本発明に含まれる。
【符号の説明】
【００５９】
１００・・・スライドファスナー    １１０・・・ファスナーユニットＡ    １１１・・・エレメントＡ    １１２・・・保持部    １１３・・・嵌合部    １１４・・・溝部    １１５・・・段差部    １２０・・・ファスナーユニットＢ    １２１・・・エレメントＢ    １２２・・・ファスナーテープ    １２１４・・・溝    １３０・・・スライダー    １３１・・・上部片    １３２・・・下部片。
【図１】
2017143850.tif 000003
【図２】
2017143850.tif 000004
【図３】
2017143850.tif 000005
【図４】
2017143850.tif 000006
【図５】
2017143850.tif 000007
【図６】
2017143850.tif 000008
【図７】
2017143850.tif 000009
【図８】
2017143850.tif 000010
【図９】
2017143850.tif 000011
【図１０】
2017143850.tif 000012
【図１１】
2017143850.tif 000013
【図１２】
2017143850.tif 000014